(57)【要約】【課題】ずらし折りによる見栄えの良い見出し部分を備えた印刷物を容易に作成することができる画像処理装置を提供する。【解決手段】本発明に係る画像処理装置は、記録用紙に印刷すべき印刷画像を生成し（Ｓ１０３）、記録用紙を中心線からずらして折るための折り位置を特定し（Ｓ１０５）、特定された折り位置に沿って記録用紙を折ることにより形成される見出し部分に合わせて、生成された印刷画像を調整する（Ｓ１０６）。【選択図】図１０
2012175521.tif 000002
【特許請求の範囲】
【請求項１】
記録用紙に印刷すべき印刷画像を生成する生成部と、
前記記録用紙を中心線からずらして折るための折り位置を特定する特定部と、
特定された前記折り位置に沿って前記記録用紙を折ることにより形成される見出し部分に合わせて、生成された前記印刷画像を調整する調整部と、を有する画像処理装置。
【請求項２】
前記調整部は、前記印刷画像が前記見出し部分にはみ出さないように前記印刷画像を調整することを特徴とする請求項１に記載の画像処理装置。
【請求項３】
前記調整部は、前記印刷画像の少なくとも一部の配置を変更することを特徴とする請求項１または２に記載の画像処理装置。
【請求項４】
前記印刷画像は、２ページ分の原稿画像が前記記録用紙の中心線の両側に均等に割り付けられた面付け画像であり、
前記調整部は、前記特定部により特定された前記折り位置の両側に前記原稿画像が均等に割り付けられるように、前記面付け画像における前記原稿画像の配置を変更することを特徴とする請求項３に記載の画像処理装置。
【請求項５】
前記調整部は、前記印刷画像の少なくとも一部を縮小することを特徴とする請求項１〜４のいずれか１つに記載の画像処理装置。
【請求項６】
前記特定部は、ユーザの指示に応じて前記折り位置を特定することを特徴とする請求項１〜５のいずれか１つに記載の画像処理装置。
【請求項７】
前記特定部は、前記印刷画像の解析結果に基づき前記折り位置を特定することを特徴とする請求項１〜５のいずれか１つに記載の画像処理装置。
【請求項８】
前記特定部は、前記印刷画像を構成するオブジェクトが前記折り位置により分断されないように、前記折り位置を特定することを特徴とする請求項７に記載の画像処理装置。
【請求項９】
前記調整部により調整された前記印刷画像に、前記見出し部分に印刷すべき見出し画像を合成する合成部をさらに有することを特徴とする請求項１〜８のいずれか１つに記載の画像処理装置。
【請求項１０】
前記合成部は、前記記録用紙の綴じ方向に応じて、前記見出し部分の裏面を前記見出し部分とみなして前記見出し画像を合成することを特徴とする請求項９に記載の画像処理装置。
【請求項１１】
前記合成部は、前記見出し部分の表面及び裏面の両方を前記見出し部分とみなして前記見出し画像を合成することを特徴とする請求項９または１０に記載の画像処理装置。
【請求項１２】
記録用紙に印刷すべき印刷画像を生成する生成部と、
前記記録用紙を中心線からずらして折るための折り位置を特定する特定部と、
特定された前記折り位置に沿って前記記録用紙を折ることにより形成される見出し部分に合わせて、生成された前記印刷画像を調整する調整部と、
調整された前記印刷画像を前記記録用紙に印刷する印刷部と、を有する画像形成装置。
【請求項１３】
前記調整部により調整された前記印刷画像に、前記見出し部分に印刷すべき見出し画像を合成する合成部をさらに有し、
前記印刷部は、前記見出し画像が合成された前記印刷画像を印刷することを特徴とする請求項１２に記載の画像形成装置。
【請求項１４】
前記印刷画像が印刷された前記記録用紙を、前記特定部により特定された前記折り位置に沿って折る紙折り部をさらに有することを特徴とする請求項１２または１３に記載の画像形成装置。
【請求項１５】
記録用紙に印刷すべき印刷画像を生成するステップ（Ａ）と、
前記記録用紙を中心線からずらして折るための折り位置を特定するステップ（Ｂ）と、
特定された前記折り位置に沿って前記記録用紙を折ることにより形成される見出し部分に合わせて、生成された前記印刷画像を調整するステップ（Ｃ）と、を有する画像処理方法。
【請求項１６】
記録用紙に印刷すべき印刷画像を生成する手順（Ａ）と、
前記記録用紙を中心線からずらして折るための折り位置を特定する手順（Ｂ）と、
特定された前記折り位置に沿って前記記録用紙を折ることにより形成される見出し部分に合わせて、生成された前記印刷画像を調整する手順（Ｃ）と、をコンピュータに実行させるための画像処理プログラム。
【請求項１７】
請求項１６に記載の画像処理プログラムを記録したコンピュータ読み取り可能な記録媒体。
【発明の詳細な説明】
【技術分野】
【０００１】
本発明は、記録用紙を中心線からずらして折ることにより形成される見出し部分を備えた印刷物を作成するための画像処理装置、画像形成装置、画像処理方法、及び画像処理プログラムに関する。
【背景技術】
【０００２】
印刷済みの記録用紙に対する紙折り方法の一つとして「ずらし折り」が知られている。ずらし折りとは、折り位置を記録用紙の中心線からずらすことにより紙折り後の記録用紙の一側端に露出した見出し部分を形成するための紙折り方法である（図８参照）。ずらし折りによれば、インデックス紙やタブ紙のような特殊な用紙を使用することなく、閲覧者の注意を引きやすい見出し部分を備えた印刷物を作成することができる。以下の特許文献１には、ロール紙の折り間隔を調節可能な紙折り装置が記載されており、同装置によれば所望の幅を有する見出し部分を容易に形成することができる。
【０００３】
他方、ずらし折りによる印刷物を作成するためには、見出し部分に印刷すべき見出し画像を印刷画像に合成した合成画像を予め準備しておく必要があり、ユーザの負担がおおきくなる。また、上記の合成画像を予め準備しておいたとしても、ずらし折りの結果、印刷画像の一部が見出し部分にはみ出すことにより印刷物の見栄えが悪くなってしまう虞がある（図１１、１２参照）。
【先行技術文献】
【特許文献】
【０００４】
【特許文献１】特開２００４−０８２６７８号公報
【発明の概要】
【発明が解決しようとする課題】
【０００５】
本発明は、上記従来技術に伴う課題を解決するためになされたものであり、本発明の目的は、ずらし折りによる見栄えの良い見出し部分を備えた印刷物を容易に作成することができる画像処理装置、画像形成装置、画像処理方法、及び画像処理プログラムを提供することである。
【課題を解決するための手段】
【０００６】
本発明の上記目的は、下記の手段によって達成される。
【０００７】
（１）記録用紙に印刷すべき印刷画像を生成する生成部と、前記記録用紙を中心線からずらして折るための折り位置を特定する特定部と、特定された前記折り位置に沿って前記記録用紙を折ることにより形成される見出し部分に合わせて、生成された前記印刷画像を調整する調整部と、を有する画像処理装置。
【０００８】
（２）前記調整部は、前記印刷画像が前記見出し部分にはみ出さないように前記印刷画像を調整することを特徴とする上記（１）に記載の画像処理装置。
【０００９】
（３）前記調整部は、前記印刷画像の少なくとも一部の配置を変更することを特徴とする上記（１）または（２）に記載の画像処理装置。
【００１０】
（４）前記印刷画像は、２ページ分の原稿画像が前記記録用紙の中心線の両側に均等に割り付けられた面付け画像であり、前記調整部は、前記特定部により特定された前記折り位置の両側に前記原稿画像が均等に割り付けられるように、前記面付け画像における前記原稿画像の配置を変更することを特徴とする上記（３）に記載の画像処理装置。
【００１１】
（５）前記調整部は、前記印刷画像の少なくとも一部の寸法を縮小することを特徴とする上記（１）〜（４）のいずれか１つに記載の画像処理装置。
【００１２】
（６）前記特定部は、ユーザの指示に応じて前記折り位置を特定することを特徴とする上記（１）〜（５）のいずれか１つに記載の画像処理装置。
【００１３】
（７）前記特定部は、前記印刷画像の解析結果に基づき前記折り位置を特定することを特徴とする上記（１）〜（５）のいずれか１つに記載の画像処理装置。
【００１４】
（８）前記特定部は、前記印刷画像を構成するオブジェクトが前記折り位置により分断されないように、前記折り位置を特定することを特徴とする上記（７）に記載の画像処理装置。
【００１５】
（９）前記調整部により調整された前記印刷画像に、前記見出し部分に印刷すべき見出し画像を合成する合成部をさらに有することを特徴とする上記（１）〜（８）のいずれか１つに記載の画像処理装置。
【００１６】
（１０）前記合成部は、前記記録用紙の綴じ方向に応じて、前記見出し部分の裏面を前記見出し部分とみなして前記見出し画像を合成することを特徴とする上記（９）に記載の画像処理装置。
【００１７】
（１１）前記合成部は、前記見出し部分の表面及び裏面の両方を前記見出し部分とみなして前記見出し画像を合成することを特徴とする上記（９）または（１０）に記載の画像処理装置。
【００１８】
（１２）記録用紙に印刷すべき印刷画像を生成する生成部と、前記記録用紙を中心線からずらして折るための折り位置を特定する特定部と、特定された前記折り位置に沿って前記記録用紙を折ることにより形成される見出し部分に合わせて、生成された前記印刷画像を調整する調整部と、調整された前記印刷画像を前記記録用紙に印刷する印刷部と、を有する画像形成装置。
【００１９】
（１３）前記調整部により調整された前記印刷画像に、前記見出し部分に印刷すべき見出し画像を合成する合成部をさらに有し、前記印刷部は、前記見出し画像が合成された前記印刷画像を前記記録用紙に印刷することを特徴とする上記（１２）に記載の画像形成装置。
【００２０】
（１４）前記印刷画像が印刷された前記記録用紙を、前記特定部により特定された前記折り位置に沿って折る紙折り部をさらに有することを特徴とする上記（１２）または（１３）に記載の画像形成装置。
【００２１】
（１５）記録用紙に印刷すべき印刷画像を生成するステップ（Ａ）と、前記記録用紙を中心線からずらして折るための折り位置を特定するステップ（Ｂ）と、特定された前記折り位置に沿って前記記録用紙を折ることにより形成される見出し部分に合わせて、生成された前記印刷画像を調整するステップ（Ｃ）と、を有する画像処理方法。
【００２２】
（１６）記録用紙に印刷すべき印刷画像を生成する手順（Ａ）と、前記記録用紙を中心線からずらして折るための折り位置を特定する手順（Ｂ）と、特定された前記折り位置に沿って前記記録用紙を折ることにより形成される見出し部分に合わせて、生成された前記印刷画像を調整する手順（Ｃ）と、をコンピュータに実行させるための画像処理プログラム。
【００２３】
（１７）上記（１６）に記載の画像処理プログラムを記録したコンピュータ読み取り可能な記録媒体。
【発明の効果】
【００２４】
本発明によると、記録用紙のずらし折りにより形成される見出し部分に合わせて、記録用紙に印刷すべき印刷画像の配置や寸法等が調整される。よって、本発明によると、ずらし折りによる見栄えの良い見出し部分を備えた印刷物を容易に作成することができる。
【図面の簡単な説明】
【００２５】
【図１】本発明の一実施形態に係る画像形成システムの構成を示すブロック図である。
【図２】本発明の一実施形態に係るＭＦＰの構成を示すブロック図である。
【図３】本発明の一実施形態に係る画像処理部の構成を示すブロック図である。
【図４】本発明の一実施形態に係る印刷ジョブの構成を示す概略図である。
【図５】本発明の一実施形態に係る印刷設定情報の一例を示す概略図である。
【図６】本発明の一実施形態に係る印刷設定情報の一例を示す概略図である。
【図７】本発明の一実施形態に係る印刷設定情報の一例を示す概略図である。
【図８】本発明の一実施形態に係る記録用紙の折り位置の一例を示す概略図である。
【図９】本発明の一実施形態に係る原稿画像の一例を示す概略図である。
【図１０】本発明の一実施形態に係る面付け処理の手順を示すフローチャートである。
【図１１】本発明の一実施形態に係る面付け画像の一例を示す概略図である。
【図１２】本発明の一実施形態に係る面付け画像の一例を示す概略図である。
【図１３】本発明の一実施形態に係る面付け画像の一例を示す概略図である。
【図１４】本発明の一実施形態に係る見出し画像の印刷位置の一例を示す概略図である。
【図１５】本発明の一実施形態に係る見出し画像の印刷位置の一例を示す概略図である。
【図１６】本発明の一実施形態に係る印刷物の一例を示す概略図である。
【図１７】本発明の一実施形態に係る印刷物の一例を示す概略図である。
【図１８】本発明の一実施形態に係る印刷物の一例を示す概略図である。
【発明を実施するための形態】
【００２６】
以下、本発明の実施の形態を、図面を参照しつつ説明する。
【００２７】
図１は、本発明の一実施形態に係る画像形成システムＳの全体構成を示すブロック図である。同図のように、画像形成システムＳは、クライアント装置としてのＰＣ１及び画像形成装置としてのＭＦＰ２を備えており、これらはネットワークＮを介して接続されている。ここで、ネットワークＮは、イーサネット（登録商標）、トークンリング、ＦＤＤＩ等の規格によりネットワーク機器どうしを接続したＬＡＮや、ＬＡＮどうしを専用線で接続したＷＡＮ等である。ただし、ＰＣ１及びＭＦＰ２は、直接機器間でローカル接続されてもよい。なお、ネットワークＮに接続された機器の種類及び台数は図中の例に限定されない。
【００２８】
続いて、本実施形態に係るＭＦＰ２について詳細に説明する。本実施形態に係るＭＦＰ２は、複数の原稿画像を各ページに割り付けることにより面付け画像を生成する機能、生成した面付け画像を各種サイズの記録用紙に印刷する機能、記録用紙のずらし折りを実施することにより一側端に露出した見出し部分を有する印刷物を作成する機能等を備えている。図９は、上述した原稿画像の一例を示す概略図である。
【００２９】
図２は、ＭＦＰ２の構成を示すブロック図である。図２のように、ＭＦＰ２は、制御部２１、記憶部２２、操作部２３、画像処理部２４、画像形成部２５、後処理部２６、及び通信インタフェース２７を備えており、これらは内部バス２８により相互通信可能に接続されている。ＭＦＰ２の構成要素について以下に詳細に説明する。なお、本実施形態に係るＰＣ１は一般的なＰＣであるため、ＰＣ１の構成要素についての詳細な説明は省略する。
【００３０】
制御部２１は、ＣＰＵであり、制御プログラムに従って各部の動作を制御するとともに各種演算処理を実行する。記憶部２２は、ＭＦＰ２の基本動作を制御するための制御プログラムやパラメータ等を格納するＲＯＭ、作業領域として制御プログラム等を一時的に保持するＲＡＭ、ＯＳや制御プログラム等を格納するハードディスクを含む記憶領域である。操作部２３は、各部のステータスをユーザに表示する機能や各種動作指示をユーザから取得する機能等を備えたオペレーションパネルである。
【００３１】
画像処理部２４は、ＰＣ１から受信した印刷ジョブに基づき印刷用の画像データを生成するプリンタコントローラである。ここで、図４は、本実施形態に係る印刷ジョブの構成を示す概念図である。同図のように、印刷ジョブは、画像形成部２５による印刷処理及び後処理部２６による各種後処理に関する設定内容を記述する印刷設定情報、及び上述した原稿画像を表すＰＤＬ（Ｐｒｉｎｔｅｒ  Ｄｅｓｃｒｉｐｔｉｏｎ  Ｌａｎｇｕｇｅ）形式の印刷データから構成されている。なお、同図のように、印刷設定情報には、ずらし折りにより形成される見出し部分に印刷すべき見出し画像を表す見出し画像データが包含されているものとする。
【００３２】
続いて、図５は、本実施形態に係る印刷設定情報の一例を示す概略図である。同図のように、印刷設定情報は、「レイアウト」、「両面」、「綴じ方向」、「拡大縮小」、「ステープル」、「鞍綴じ」等の項目から構成される。また、図６は、ずらし折りに関連する印刷設定情報の一例を示す概略図であり、図７は、見出し画像に関連する印刷設定情報の一例を示す概略図である。
【００３３】
図６を参照すると、ずらし折りに関連する印刷設定情報は、「見出し付加ページ」、「見出し用紙サイズ」、「見出し幅」、「折り位置」、「見出し方向」等の項目から構成される。ここで、「見出し付加ページ」は、見出しを付加すべき原稿画像のページ番号を表している。図９の例においてはページ１１が見出し付加ページである。また、「見出し用紙サイズ」は、ずらし折りが実施される記録用紙のサイズを表している。見出し用紙サイズはＡ４やＡ３等の定形サイズであってもよいし、定形サイズよりも大きい不定形サイズであってもよい。
【００３４】
引き続き図６を参照すると、「見出し幅」は、ずらし折りにより形成される見出し部分の幅（ｘ）を表している。また、「折り位置」は、記録用紙の見出し部分とは反対側の一側端から折り位置（折り線）までの距離（ｆ）を表している。また、「見出し方向」は、ずらし折りにより形成される見出し部分の表面と裏面のどちら側に見出し画像に印刷すべきかを表している。「見出し方向」についてはさらに後述する。なお、図７に関する詳細な説明は省略する。
【００３５】
図８は、「見出し幅」と「折り位置」との関係を示す概略図である。同図のように、記録用紙の折り位置と垂直をなす方向の全長をＷとした場合、折り位置（ｆ）と見出し幅（ｘ）との間には、以下の数１の関係が成立する。よって、見出し幅（ｘ）及び折り位置（ｆ）のどちらか一方の値が指定されていれば、その値から他方の値を算出することができる。
【００３６】
【数１】
2012175521.tif 000003
【００３７】
続いて、図４は、画像処理部２４の詳細な構成を示すブロック図である。同図のように、画像処理部２４は、複数の原稿画像を所定枚数ごとに各ページに割り付けることにより面付け画像を生成する面付け部２４ａ、及び面付け部２４ａにより生成された面付け画像に見出し画像を合成する見出し合成部２４ｂを備えている。
【００３８】
画像形成部２５は、画像処理部２４により生成された画像データに基づく印刷画像を給紙トレイから供給された記録用紙に印刷するためのプリンタエンジンである。より具体的に、画像形成部２５は、感光体ドラムを帯電させる帯電工程、レーザ光により感光体ドラム上に静電潜像を形成する露光工程、感光体ドラム上の静電潜像にトナーを付着させてトナー画像を形成する現像工程、感光体ドラム上のトナー画像を転写ベルトにより記録用紙に転写する転写工程、記録用紙に転写されたトナー画像を定着ローラにより加熱・定着させる定着工程を含む電子写真方式の印刷処理を実行する。ただし、画像形成部２５による印刷方式は、インパクト方式、熱転写方式、インクジェット方式等の他の印刷方式であってもよい。なお、画像形成部２５への給紙トレイ（不図示）には、Ａ４やＡ３等の定形サイズの記録用紙とともに定形サイズよりも大きい不定形サイズの記録用紙がサイズごとに格納されている。
【００３９】
後処理部２６は、印刷済み記録用紙に対してステープル、パンチ、紙折り、製本等の各種後処理を実行するためのフィニッシャである。後処理部２６は、中折りやずらし折りの他にも三つ折りやＺ折り等の各種紙折り方法を実施することができる。通信インタフェース２７は、ネットワークＮを介したＰＣ１との通信処理を実行するためのＮＩＣ（Ｎｅｔｗｏｒｋ  Ｉｎｔｅｒｆａｃｅ  Ｃａｒｄ）等の通信モジュールである。
【００４０】
次に、本実施形態に係るＭＦＰ２の動作の概要について説明する。図１０は、ＭＦＰ２がずらし折りによる見出し部分を備えた印刷物を作成するための面付け画像を生成する処理（以下では単に「面付け処理」ともいう）の手順を示すフローチャートである。図１０のフローチャートにより示されるアルゴリズムは記憶部２２のＲＯＭに制御プログラムとして格納されている。
【００４１】
先ず、ＭＦＰ１は、ＰＣ１から印刷ジョブを受信したら（Ｓ１０１）、それに含まれる印刷設定情報を解析する（Ｓ１０２）。より具体的に、Ｓ１０２では、本処理により生成される面付け画像のページごとの印刷設定の内容を確認する。ここでいう印刷設定には、面付け画像の各ページに割り付けられる原稿ページ、面付け画像の各ページにおける原稿画像のレイアウト、面付け画像の各ページに対するずらし折りの有無等が含まれる。
【００４２】
なお、以下の説明においては、各ページに図９の原稿画像を２ページずつ均等に割り付けた面付け画像を記録用紙の両面に印刷し、さらに、紙折り後の記録用紙を左側で無線綴じにした印刷物を作成するための印刷設定がなされているものとする。また、以下では、原稿画像の各ページを「原稿ページ」と称し、面付け画像の各ページを「出力ページ」と称することにする。本例における出力ページと原稿ページとの対応関係は以下の表１に示す通りである。表中の下線は、その原稿ページが見出し付加ページであることを示している。
【００４３】
【表１】
2012175521.tif 000004
【００４４】
続いて、ＭＦＰ２は、出力ページごとに以下のＳ１０３〜Ｓ１０６に示す手順を繰り返し実行する。先ず、ＭＦＰ２は、Ｓ１０２での解析結果に従って、現在処理中の出力ページに原稿ページを割り付けることにより、当該出力ページの面付け画像を生成する（Ｓ１０３）。なお、本例によると、Ｓ１０３では出力ページごとの面付け画像が生成されるが、本実施形態はこれに限定されず、Ｓ１０３では原稿ページごとのページ画像が２つ生成され、後述するＳ１０６での調整後に当該ページ画像に基づき面付け画像が生成されることとしてもよい。
【００４５】
続いて、ＭＦＰ２は、現在処理中の出力ページに対してずらし折りが指定されているか否かを判定する（Ｓ１０４）。より具体的に、ＭＦＰ２は、現在処理中の出力ページに見出し付加ページが含まれているか否かを判定する。表１の例によると、Ｓ１０４の判定結果は、現在処理中の出力ページが“６”である場合は“ＹＥＳ”となり、それ以外の場合は“ＮＯ”となる。
【００４６】
そして、現在処理中の出力ページに見出し付加ページが含まれている場合（Ｓ１０４のＹＥＳ）、ＭＦＰ２は、現在処理中の出力ページのずらし折りのための折り位置を特定する（Ｓ１０５）。より具体的に、Ｓ１０５では、印刷設定情報中の「折り位置」の数値を取得することにより折り位置（ｆ）を特定する。ただし、「折り位置」の代わりに「見出し幅」の数値を取得し、見出し幅（ｘ）から折り位置（ｆ）を計算することとしてもよい（数１参照）。他方、現在処理中の出力ページに見出し付加ページが含まれていない場合（Ｓ１０４のＮＯ）、ＭＦＰ２は、次の出力ページについてのＳ１０３の手順に移行する。
【００４７】
図１１は、Ｓ１０５により特定された折り位置の一例を示す概略図である。図中（Ａ）の上方に示された数字は出力ページのページ番号であり、下方に示された数字は原稿ページのページ番号である（図１２〜１５においても同様）。図中（Ｂ）に示すように、図中（Ａ）で特定した折り位置に沿ってずらし折りを実施した場合、面付け画像中の見出し付加ページ（原稿ページ１１）が見出し部分にはみ出してしまう。これを解消するためにＭＦＰ２は後述するＳ１０６の手順を実行する。
【００４８】
なお、図１１に示すように印刷設定情報（「折り位置」又は「見出し幅」）に基づき折り位置を特定する代わりに、Ｓ１０３で生成された面付け画像の解析結果に基づき折り位置を特定することとしてもよい。例えば、ＭＦＰ２は、面付け画像中に含まれるオブジェクトのレイアウトを解析することにより、当該オブジェクトが分断されないような折り位置を自動的に特定することができる。図１２は、ＭＦＰ２により自動的に特定された折り位置の一例を示す概略図である。図中（Ａ）に示すように、本例においては面付け画像（出力ページ６）に含まれる表を構成する縦方向の罫線の延長線を折り位置として特定する。これにより、面付け画像に含まれるオブジェクト（表中の列）がずらし折りに分断されることを防止することができる。
【００４９】
続いて、ＭＦＰ２は、Ｓ１０５で特定した折り位置に沿ったずらし折りにより形成される見出し部分に合わせて、Ｓ１０３で生成した面付け画像を調整する（Ｓ１０６）。より具体的に、Ｓ１０６では、Ｓ１０３で生成した面付け画像を２つのページ画像に切り分けてから、記録用紙に対する見出し付加ページの配置を、折り位置と垂直をなす方向に沿って変更する。図１３は、Ｓ１０６での調整後の面付け画像の一例を示す概略図である。図中（Ａ）に示すように、本例では面付け画像中の見出し付加ページ（原稿ページ１１）の配置を当該ページが見出し部分にはみ出さないように変更している（図中（Ｂ）参照）。
【００５０】
なお、図中（Ａ）での配置変更の際には、見出し付加ページ（原稿ページ１１）のみならず、その隣接ページ（原稿ページ１０）の配置も併せて変更することが好ましい。より具体的には、Ｓ１０５で特定した折り位置の両側に見出し付加ページ（原稿ページ１１）及び隣接ページ（原稿ページ１０）が均等に割り付けられるように両ページの配置を変更することが好ましい。さらに、現在処理中の出力ページ（出力ページ６）のみならず、その裏面（出力ページ５）に印刷される面付け画像の配置も併せて変更することが好ましい。これにより、現在処理中の出力ページ（及びその裏面）の一部分の配置のみが変更されることにより生じる違和感を解消することができる。
【００５１】
また、Ｓ１０６では、記録用紙に対する面付け画像の配置を変更する代わりに、記録用紙に対する面付け画像の寸法を変更（縮小）することとしてもよい。さらに、記録用紙に対する面付け画像の配置及び寸法の両方を変更することとしてもよい。
【００５２】
続いて、ＭＦＰ２は、Ｓ１０６での調整後の面付け画像に上述した見出し画像を合成する（Ｓ１０７）。この際、ＭＦＰ２は、ずらし折り及び見出し画像に関連する印刷設定情報（図６、７参照）を参照して、見出し部分（幅：ｘ）における見出し画像の配置や寸法等を特定する。そして、ＭＦＰ２は、全ての出力ページについてのＳ１０３〜Ｓ１０７の手順を完了したら、それらの出力ページを印刷するための面付け画像データを画像形成部２５に転送する（Ｓ１０８）。その後、ＭＦＰ２は面付け処理を終了する（エンド）。
【００５３】
なお、本実施形態に係るＭＦＰ２は、紙折り後の記録用紙の綴じ方向に応じて見出し画像の印刷位置を変更する機能を備えている。同機能によると、印刷設定情報中の「綴じ方向」として「左とじ」が指定され、かつ、「見出し付加ページ」として出力ページの左側に面付けされる原稿ページが指定された場合には、当該出力ページの裏面の右側に面付けされる原稿ページを見出し付加ページとみなして面付け処理を実行することができる。同様に、「綴じ方向」として「右とじ」が指定され、かつ、「見出し付加ページ」として出力ページの右側に面付けされる原稿ページが指定された場合には、当該出力ページの裏面の左側に面付けされる原稿ページを見出し付加ページとみなして面付け処理を実行することができる。
【００５４】
図１４は上記機能による見出し画像の印刷位置の一例を示す概略図である。図中（Ａ）のように、「綴じ方向」が「左綴じ」であり、「見出し付加ページ」が出力ページ５の左側に面付けされる原稿ページ１２である場合は、出力ページ５の裏面（出力ページ６）の右側に面付けされる原稿ページ１１が見出し付加ページとみなされる。
【００５５】
同様に、「綴じ方向」として「右綴じ」であり、「見出し付加ページ」が出力ページ６の右側に面付けされる原稿ページ１０である場合は、出力ページ６の裏面（出力ページ５）の左側に面付けされる原稿ページ９が見出し付加ページとみなされる。よって、上記機能によると、記録用紙の綴じ方向によらず、常に印刷物の表面に見出し画像が配置されるため、より見栄えのよい見出し部分を作成することができる。なお、上記機能は印刷設定情報中の「見出し方向」が「綴じ方向の反対」にされた場合に実行される。
【００５６】
このほか、本実施形態に係るＭＦＰ２は、見出し部分の表面及び裏面の両方に見出し画像を印刷する機能を備えている。上記機能によると、本来の見出し付加ページ及びその裏面の反対側に割り付けられた原稿ページの両方が見出し付加ページとみなされる。図１５は、上記機能による見出し画像の印刷位置の一例を示す概略図である。同図のように、出力ページ６中の原稿ページ１１に加えて、その裏面（出力ページ５）の反対側に割り付けられた原稿ページ１２が見出し付加ページとみなされる。よって、上記機能によると、常に印刷物の両面に見出し画像が配置されるため、より閲覧者の注意を引きやすい見出し部分を作成することができる。なお、上記機能は印刷設定情報中の「見出し方向」が「両面」にされた場合に実行される。
【００５７】
次に、本実施形態に係るＭＦＰ２により作成される印刷物について説明する。図１６は、同一サイズの定形用紙のみを使用した場合の出力結果の一例を示す概略図である。同図のように、中折り後の記録用紙の全長はＷ／２であるのに対し、ずらし折り後の記録用紙の全長は（Ｗ＋ｘ）／２であるため、印刷物の一側に見出し部分（幅：ｘ）のうち外側半分（幅：ｘ／２）のみが露出されることになる。よって、本例においては、見出し画像が見出し部分の外側半分に収まるように見出し画像の配置や寸法等を調整することが好ましい。
【００５８】
続いて、図１７は、中折り用の記録用紙として定形用紙を使用し、ずらし折り用の記録用紙として定形用紙よりも全長がδだけ長い不定形用紙を使用した場合の出力結果の一例を示す概略図である。同図のように、ずらし折り用の折り位置（ｆ）を定形用紙の全長の半分（Ｗ／２）にした場合には、印刷物の一側に見出し部分（幅：ｘ＝δ）の全体が露出されることになる。よって、本例によると、見出し画像の配置や寸法等を調整することなく、見栄えの良い見出し部分を備えた印刷物を生成することができる。
【００５９】
続いて、図１８は、中折り用の記録用紙として定形用紙を使用し、ずらし折り用の記録用紙として定形用紙よりもδ１だけ全長が長い第１の不定形用紙、及び第１の不定形用紙よりもδ２だけ全長が長い第２の不定形用紙を使用した場合の出力結果の一例を示す概略図である。同図のように、第１及び第２の不定形用紙の折り位置（ｆ）をともに定形用紙の全長の半分（Ｗ／２）にした場合には、第１の不定形用紙に形成される第１の見出し部分（幅：ｘ＝δ１）の全体が印刷物の一側に露出され、さらに、第２の不定形用紙に形成される第２の見出し部分（幅：ｘ＝δ１＋δ２）のうち幅δ２の部分のみが印刷物の一側に露出されることになる。よって、本例においては、第２の見出し部分に印刷されるべき見出し画像が幅δ２の部分に収まるように当該見出し画像の配置や寸法等を調整することが好ましい。
【００６０】
以上のように、本実施形態に係るＭＦＰ２によると、記録用紙のずらし折りにより形成される見出し部分に合わせて、記録用紙に印刷される面付け画像が調整される。より具体的に、記録用紙に印刷される面付け画像がずらし折りによる見出し部分にはみ出さないように当該面付け画像の配置や寸法等が変更される。よって、本発明によると、ずらし折りによる見栄えの良い見出し部分を備えた印刷物を容易に作成することができる。  本発明は、上記実施形態のみに限定されるものではなく、特許請求の範囲において種々改変することができる。例えば、上記実施形態に係るＭＦＰ２は、クライアント装置であるＰＣ１から受信した印刷ジョブに基づき各種処理を実行することとしたが、本発明に係る画像処理装置及び画像形成装置は装置内に予め保持されている画像データ及び印刷設定情報に基づき各種処理を実行することとしてもよい。
【００６１】
なお、本発明に係る画像処理装置及び画像形成装置は、上記手順を実行するための専用のハードウェア回路によっても、上記手順を記述したプログラムをＣＰＵが実行することによっても実現可能である。後者により本発明を実現する場合、画像処理装置及び画像形成装置を作動させるプログラムは、フロッピー（登録商標）ディスクやＣＤ−ＲＯＭ等のコンピュータ読み取り可能な記録媒体によって提供されてもよいし、インターネット等のネットワークを介してオンラインで提供されてもよい。ここで、コンピュータ読み取り可能な記録媒体に記録されたプログラムは、通常、記録装置に内蔵されたＲＯＭやハードディスク等に転送される。また、上記プログラムは、単独のアプリケーションソフトとして提供されてもよいし、画像処理装置及び画像形成装置の一機能としてソフトウェアに組み込まれてもよい。
【符号の説明】
【００６２】
１      ＰＣ、
２      ＭＦＰ、
２１    制御部、
２２    記憶部、
２３    操作部、
２４    画像処理部、
２４ａ  面付け部
２４ｂ  見出し合成部、
２５    画像形成部、
２６    後処理部、
２７    通信インタフェース。
【図１】
2012175521.tif 000005
【図２】
2012175521.tif 000006
【図３】
2012175521.tif 000007
【図４】
2012175521.tif 000008
【図５】
2012175521.tif 000009
【図６】
2012175521.tif 000010
【図７】
2012175521.tif 000011
【図８】
2012175521.tif 000012
【図１０】
2012175521.tif 000013
【図９】
2012175521.tif 000014
【図１１】
2012175521.tif 000015
【図１２】
2012175521.tif 000016
【図１３】
2012175521.tif 000017
【図１４】
2012175521.tif 000018
【図１５】
2012175521.tif 000019
【図１６】
2012175521.tif 000020
【図１７】
2012175521.tif 000021
【図１８】
2012175521.tif 000022